(57)【特許請求の範囲】
【請求項１】
複数の発光体を有するユニットが複数、二本の電源用電線にそれぞれ接続され、ユニット間が切断可能な照明装置であって、
折り曲げ可能で断面略円形の絶縁チューブを備え、
前記ユニットは、前記複数の発光体が並列に接続された発光体群を複数備え、複数の発光体群が直列に接続され、直列に接続された端に位置する発光体群が前記二本の電源用電線の一方に接続され、直列に接続された他端に位置する発光体群が前記二本の電源用電線の他方に接続され、
前記絶縁チューブには、その外周面の長手方向に沿って、前記発光体群の複数の発光体の各々を接続させる接続線を配置する二条の配線用溝を備えるとともに、前記ユニットが配置されていることを特徴とする切断可能な照明装置。
【請求項２】
切断可能な部分が、
前記ユニットの直列に接続された端に位置する発光体群と、前記二本の電源用電線の一方との接続点と、
当該ユニットに隣接するユニットの直列に接続された他端に位置する発光体群と、前記二本の電源用電線の他方との接続点との間であることを特徴とする請求項１に記載の切断可能な照明装置。
【請求項３】
切断可能な部分に、目印が付されていることを特徴とする請求項１または２に記載の切断可能な照明装置。
【請求項４】
前記発光体群の並列に接続された複数の発光体は、前記絶縁チューブの内部に一列に並べられていることを特徴とする請求項１ないし３のいずれかに記載の切断可能な照明装置。
【請求項５】
前記絶縁チューブの内部は、当該絶縁チューブの長手方向に前記二本の電源用電線がそれぞれ配線された電源用電線部と、前記ユニットの発光体群の発光体がそれぞれ装着され、当該絶縁チューブの長手方向に複数配置される発光体用穴と、前記二条の配線用溝とを備えることを特徴とする請求項１ないし４のいずれかに記載の切断可能な照明装置。
【請求項６】
前記絶縁チューブの内部は、当該絶縁チューブの長手方向に前記二本の電源用電線がそれぞれ配線された電源用電線部と、前記ユニットの発光体群の発光体がそれぞれ装着され、当該絶縁チューブの長手方向に複数配置される発光体用穴と、前記二条の配線用溝とを備え、
前記二条の配線用溝には、前記絶縁チューブの長手方向に配置される発光体を一つおきに接続させた接続線の少なくとも一部が、それぞれ装着されることを特徴とする請求項１ないし４のいずれかに記載の切断可能な照明装置。
【請求項７】
前記絶縁チューブの外周を被覆する第２の絶縁チューブを備えることを特徴とする請求項１ないし６のいずれかに記載の切断可能な照明装置。
【請求項８】
切断されたユニットと他のユニットとを接続するアダプタを有し、
前記アダプタは、前記切断されたユニットの二本の電源用電線と、前記他のユニットの二本の電源用電線とをそれぞれを接続させる二つの端子を備えていることを特徴とする請求項１ないし７のいずれかに記載の切断可能な照明装置。
【請求項９】
複数の発光体を有するユニットが複数、二本の電源用電線にそれぞれ接続され、ユニット間が切断可能な照明装置の製造方法であって、
前記複数の発光体を並列に接続して複数の発光体群を構成し、
前記複数の発光体群を直列に接続し、
直列に接続された端に位置する発光体群を前記二本の電源用電線の一方に接続し、
直列に接続された他端に位置する発光体群を前記二本の電源用電線の他方に接続して前記ユニットを構成させ、
折り曲げ可能で断面略円形の絶縁チューブの外周面の長手方向に沿って、前記発光体群の複数の発光体の各々を接続させる接続線を配置する二条の配線用溝を形成し、
前記絶縁チューブに前記ユニットを配置させることを特徴とする切断可能な照明装置の製造方法。
【請求項１０】
前記ユニットの直列に接続された端に位置する発光体群と、前記二本の電源用電線の一方との接続点から間を空けて、当該ユニットに隣接するユニットの直列に接続された他端に位置する発光体群と、前記二本の電源用電線の他方とを接続させることを特徴とする請求項９に記載の切断可能な照明装置の製造方法。
【請求項１１】
切断可能な部分に、目印を付すことを特徴とする請求項９または１０に記載の切断可能な照明装置の製造方法。
【請求項１２】
前記発光体群の並列に接続された複数の発光体を、前記絶縁チューブの内部に一列に並べることを特徴とする請求項９ないし１１のいずれかに記載の切断可能な照明装置の製造方法。
【請求項１３】
複数の発光体を有するユニットが複数、二本の電源用電線にそれぞれ接続され、ユニット間が切断可能な照明装置の製造方法であって、
前記二本の電源用電線の外周に絶縁材を配置して折り曲げ可能で断面略円形の絶縁チューブを形成し、
当該絶縁チューブの長手方向に所定の間隔で複数の発光体用穴を開け、
当該絶縁チューブの長手方向の外周面に、前記発光体群の複数の発光体の各々を接続させる接続線を配置する二条の配線用溝を形成し、
前記複数の発光体を並列に接続した複数の発光体群を直列に接続し、
前記ユニットの複数の発光体群の複数の発光体のそれぞれを、前記複数の発光体用穴に配置し、
前記二条の配線用溝に、前記発光体を接続した接続線を配置し、
直列に接続された端に位置する発光体群を、前記絶縁チューブの一部を剥いで前記二本の電源用電線の一方に接続し、
直列に接続された他端に位置する発光体群を、前記絶縁チューブの一部を剥いで前記二本の電源用電線の他方に接続して前記ユニットを構成させることを特徴とする切断可能な照明装置の製造方法。
【請求項１４】
前記二条の配線用溝を、前記絶縁チューブの外周の異なる位置に長手方向に沿って形成し、
前記二条の配線用溝に、前記絶縁チューブの長手方向に一列に配置される発光体を一つおきに接続させた接続線の少なくとも一部を、それぞれ装着することを特徴とする請求項１３に記載の切断可能な照明装置の製造方法。
【発明の詳細な説明】
【技術分野】
【０００１】
本発明は、複数の発光体が多数配置されたライン状のイルミネーションを構成するための装飾用の照明装置に係り、特に、ライン状の装飾用の照明装置を切断して長さを調節して利用することができる切断可能な照明装置及びその製造方法に関する。
【背景技術】
【０００２】
従来、複数の発光体（ＬＥＤや豆電球）が所定間隔毎に電源用電線上に配設され、ライン状のイルミネーションを構成する装飾用の照明装置が知られている。この装飾用の照明装置は、各発光体に電気を供給するための給電線上に発光体が繋がっており、自由にその形状変えることができ、また、所定の位置で切断することで、照明装置のラインの長さを自由に調節できるものである。
【０００３】
従来の切断可能な装飾用照明装置は、例えば、図７に示すように、複数の発光ダイオード１１０が直列に接続された単位発光ダイオード群１１０Ａを複数有しており、この複数の単位発光ダイオード群１１０Ａが二本の電源用電線１３１、１３２に並列に接続されており、引出電源用電線部分１３１Ａ、１３２Ａ部分で切断が可能な構成をしている（例えば、特許文献１参照）。
【先行技術文献】
【特許文献】
【０００４】
【特許文献１】特開２００６−１２６６１７号公報
【発明の概要】
【発明が解決しようとする課題】
【０００５】
しかしながら、上記特許文献１にあっては、単位発光ダイオード群１１０Ａの発光ダイオード１１０が直列に接続されているため、いずれかの発光ダイオード１１０が切れた場合や、直列の接続線が断線した場合、電力が供給されず、単位発光ダイオード群１１０Ａの４つの発光ダイオード１１０のすべてが発光しなくなってしまうという問題がある。
【０００６】
このため、イルミネーションとして利用している最中に、発光ダイオード１１０の一つが切れてしまうと、その切れた発光ダイオード１１０がある単位発光ダイオード群１１０Ａの４つの発光ダイオード１１０のすべてが発光しなくなってしまうため、単位発光ダイオード群１１０Ａの部分の長さ分は、発光していない部分となってしまい、見た目が悪くなってしまい、装飾用として引き続き利用するには問題となることがある。
【０００７】
本発明は、このような問題点に着目してなされたもので、発光ダイオードが切れても、イルミネーション全体として見た目が悪くならないよう、引き続き装飾用のイルミネーションとして利用し続けることができる切断可能な照明装置及びその製造方法を提供することを目的とする。
【課題を解決するための手段】
【０００８】
前記課題を解決するために、本発明の切断可能な照明装置は、
複数の発光体を有するユニットが複数、二本の電源用電線にそれぞれ接続され、ユニット間が切断可能な照明装置であって、
折り曲げ可能で断面略円形の絶縁チューブを備え、
前記ユニットは、前記複数の発光体が並列に接続された発光体群を複数備え、複数の発光体群が直列に接続され、直列に接続された端に位置する発光体群が前記二本の電源用電線の一方に接続され、直列に接続された他端に位置する発光体群が前記二本の電源用電線の他方に接続され、
前記絶縁チューブには、その外周面の長手方向に沿って、前記発光体群の複数の発光体の各々を接続させる接続線を配置する二条の配線用溝を備えるとともに、前記ユニットが配置されていることを特徴としている。
また、本発明の切断可能な照明装置の製造方法は、
複数の発光体を有するユニットが複数、二本の電源用電線にそれぞれ接続され、ユニット間が切断可能な照明装置の製造方法であって、
前記複数の発光体を並列に接続した発光体群を直列に接続し、
直列に接続された端に位置する発光体群を前記二本の電源用電線の一方に接続し、
直列に接続された他端に位置する発光体群を前記二本の電源用電線の他方に接続して前記ユニットを構成させ、
折り曲げ可能で断面略円形の絶縁チューブの外周面の長手方向に沿って、前記発光体群の複数の発光体の各々を接続させる接続線を配置する二条の配線用溝を形成し、
前記絶縁チューブに前記ユニットを配置させることを特徴とする。
この特徴によれば、ユニットは、複数の発光体が並列に接続された発光体群を複数備えているので、発光体群の発光体の一つが切れて発光しなくなっても、発光体群の他の並列に接続された発光体は発光することができる。また、ユニットは、複数の発光体群が直列に接続され、直列に接続された端に位置する発光体群が前記二本の電源用電線の一方に接続され、直列に接続された他端に位置する発光体群が前記二本の電源用電線の他方に接続されている直列に接続されるので、発光体群の発光体の一つが切れて発光しなくなっても、他の並列に接続された発光体を介して電流が流れるので、隣接する発光体群や、他の発光体群には影響を与えることなく、他の発光体群のすべての発光体を発光させ続けることができる。さらに、他のユニットについても、それぞれ、同様の構成になっているので、切れた発光体を有するユニット以外の、他のユニットについても影響を与えることなく、すべての発光体を発光させ続けることができる。
従って、ユニット中の発光体の一つが切れても、ユニット内の切れた発光体以外の発光体は、引き続き発光させ続けることができ、さらに、他のユニットのすべての発光体を発光させ続けることができる。また、ユニット間で切断が可能であるので、ユニット中の発光体が複数切れた場合や、長さ調節を行いたい場合には、不要となったユニットを切断することができる。
【０００９】
手段１の切断可能な照明装置は、
前記発光体群の複数の発光体が並列に接続された接続点と、隣接する発光体群の複数の発光体が並列に接続された接続点とを同じ部分とすることができる。
また、手段２の切断可能な照明装置の製造方法は、
前記発光体群の複数の発光体を並列に接続する接続点と、隣接する発光体群の複数の発光体を並列に接続する接続点とを、同じ部分とし、並列接続と直列接続を一緒に行うことを特徴とする。
この特徴によれば、発光体群の複数の発光体と、それに隣接する直列に接続された発光体群の複数の発光体群との接続点とを、同じ部分の一箇所で接続することで、隣接する二つの発光体群の複数の発光体の並列接続と、発光体群の直列接続とを、一箇所の接続作業で行うことができ、また、接続強度も増すことができる。これにより、発光体をそれぞれ接続する際に、複数の発光体群について、それぞれ発光体を並列に接続させた（並列接続作業を二度行った）後に、発光体群を直列に接続すると、接続作業が三度必要になるのを、一度に一箇所で接続するだけで、二つの並列接続と直列接続とを同時に行うため、簡単に接続作業を行うことができる。さらに、接続点を減らすことができるので、接触不良が起こりやすい箇所を削減することができ、接触不良を起こしにくくすることができる。
【００１０】
本発明の切断可能な照明装置は、
切断可能な部分が、
前記ユニットの直列に接続された端に位置する発光体群と、前記二本の電源用電線の一方との接続点と、
当該ユニットに隣接するユニットの直列に接続された他端に位置する発光体群と、前記二本の電源用電線の他方との接続点との間であることを特徴とする。
また、本発明の切断可能な照明装置の製造方法は、
前記ユニットの直列に接続された端に位置する発光体群と、前記二本の電源用電線の一方との接続点から間を空けて、当該ユニットに隣接するユニットの直列に接続された他端に位置する発光体群と、前記二本の電源用電線の他方とを接続させることを特徴とする。
これにより、各ユニットは、二本の電源用電線にそれぞれ接続されるので、他のユニットが切断されても、他のユニットの影響を受けずに電力が供給され、発光体を発光させることができる。
【００１１】
本発明の切断可能な照明装置は、
切断可能な部分に、目印が付されていることを特徴とする。
また、本発明の切断可能な照明装置の製造方法は、
切断可能な部分に、目印を付すことを特徴とする。
これにより、複数のユニットが連続し、発光体が連続して配置されていても、切断可能な部分が目視可能となる。
【００１２】
本発明の切断可能な照明装置は、
前記発光体群の並列に接続された複数の発光体は、前記絶縁チューブの内部に一列に並べられていることを特徴とする。
また、本発明の切断可能な照明装置の製造方法は、
前記発光体群の並列に接続された複数の発光体を、前記絶縁チューブの内部に一列に並べることを特徴とする。
前記発光体群の並列に接続された複数の発光体を、並列に並べることなく、絶縁体内部に一列に配置することで、外観上は、従来と同様に一列に発光体を配置にすることができ、さらに、一つの発光体が切れても、その隣に配置された、並列に接続された発光体は、引き続いて発光するので、イルミネーションとして引き続き使用することができる。絶縁体で覆うことにより、折り曲げ可能なためイルミネーションとして装飾する際に、自由な形状に折り曲げることができて扱いやすく、また、静電気にも強く、防塵性、防水性に優れた切断可能な照明装置とすることができる。また、前記発光体群の並列に接続された複数の発光体を一つずつ一列に並べ、その一列の端に位置する発光体の隣には、隣接する発光体群の並列に接続された複数の発光体を一つずつ一列に並べていく場合には、発光体群を一つの纏まりとして一列に配線するため、発光体間を接続する接続線を、最短の長さで配線させることができる。
【００１３】
本発明の切断可能な照明装置は、
前記絶縁チューブの内部は、当該絶縁チューブの長手方向に前記二本の電源用電線がそれぞれ配線された電源用電線部と、前記ユニットの発光体群の発光体がそれぞれ装着され、当該絶縁チューブの長手方向に複数配置される発光体用穴と、前記二条の配線用溝とを備えることを特徴とする。
また、本発明の切断可能な照明装置の製造方法は、
複数の発光体を有するユニットが複数、二本の電源用電線にそれぞれ接続され、ユニット間が切断可能な照明装置の製造方法であって、
前記二本の電源用電線の外周に絶縁材を配置して折り曲げ可能で断面略円形の絶縁チューブを形成し、
当該絶縁チューブの長手方向に所定の間隔で複数の発光体用穴を開け、
当該絶縁チューブの外周の長手方向の外周面に、前記発光体群の複数の発光体の各々を接続させる接続線を配置する二条の配線用溝を形成し、
前記複数の発光体を並列に接続した発光体群を直列に接続し、
前記ユニットの複数の発光体群の複数の発光体のそれぞれを、前記複数の発光体用穴に配置し、
前記二条の配線用溝に、前記発光体を接続した接続線を配置し、
直列に接続された端に位置する発光体群を、前記絶縁チューブの一部を剥いで前記二本の電源用電線の一方に接続し、
直列に接続された他端に位置する発光体群を、前記絶縁チューブの一部を剥いで前記二本の電源用電線の他方に接続して前記ユニットを構成させることを特徴とする。
これにより、折り曲げ可能な中実の絶縁チューブの内部に、当該絶縁チューブの長手方向に前記二本の電源用電線がそれぞれ配線された電源用電線部と、前記ユニットの発光体群の発光体がそれぞれ装着され、当該絶縁チューブの長手方向に複数配置される発光体用穴と、前記ユニットの発光体群の発光体を接続させるための接続線が装着される配線用溝とを備えるので、折り曲げ可能なためイルミネーションとして装飾する際に、自由な形状に折り曲げることができて扱いやすく、また、静電気にも強く、防塵性、防水性に優れた切断可能な照明装置とすることができる。また、前記発光体用穴のそれぞれは、前記配線用溝に連通しているので、発光体用穴に装着した発光体の接続線を、配線用溝に配置しやすくなる。さらに、配線用溝に接続線を配線することで、配線用溝内では、接続線が、しなって絶縁チューブの長手方向と溝の幅方向および深さ方向とに動くことが可能な空間があるので、切断可能な照明装置を折り曲げたときに、接続線が折り曲げに応じてしなりやすく曲げやすくなるので、切断可能な照明装置の折り曲げが容易になる。
【００１４】
本発明の切断可能な照明装置は、
前記絶縁チューブの内部は、当該絶縁チューブの長手方向に前記二本の電源用電線がそれぞれ配線された電源用電線部と、前記ユニットの発光体群の発光体がそれぞれ装着され、当該絶縁チューブの長手方向に複数配置される発光体用穴と、前記二条の配線用溝とを備え、
前記二条の配線用溝には、前記絶縁チューブの長手方向に配置される発光体を一つおきに接続させた接続線の少なくとも一部が、それぞれ装着されることを特徴とする。
また、本発明の切断可能な照明装置の製造方法は、
前記二条の配線用溝を、前記絶縁チューブの外周の異なる位置に長手方向に沿って二つ形成し、
前記二条の配線用溝に、前記絶縁チューブの長手方向に配置される発光体を一つおきに接続させた接続線の少なくとも一部を、それぞれ装着することを特徴とする。
これにより、折り曲げ可能な中実の絶縁チューブの内部に、当該絶縁チューブの長手方向に前記二本の電源用電線がそれぞれ配線された電源用電線部と、前記ユニットの発光体群の発光体がそれぞれ装着され、当該絶縁チューブの長手方向に複数配置される発光体用穴と、前記ユニットの発光体群の発光体を接続させるための接続線の少なくとも一部が装着される第１と第２の配線用溝とを備えるので、折り曲げ可能なためイルミネーションとして装飾する際に、自由な形状に折り曲げることができて扱いやすく、また、静電気にも強く、防塵性、防水性に優れた切断可能な照明装置とすることができる。また、第１と第２の配線用溝には、前記絶縁チューブの長手方向に配置される発光体を一つおきに接続させた接続線の少なくとも一部がそれぞれ装着されるので、発光体用穴に装着した発光体の接続線どうしが絡みにくく、配線用溝に配置しやすくなる。また、発光体を一つおきに接続させた接続線とし、前記発光体群の並列に接続された複数の発光体を一つずつ一列に並べ、その一列の端に位置する発光体の隣には、隣接する発光体群の並列に接続された複数の発光体を一つずつ一列に並べていく場合には、発光体を一つおきに接続させた接続線は、直列に接続される配線となるので、発光体間を接続する接続線を、最短の長さで配線させることができる。
【００１５】
本発明の切断可能な照明装置は、
前記絶縁チューブの外周を被覆する第２の絶縁チューブを備えることを特徴とする。
また、本発明の切断可能な照明装置の製造方法は、
前記構成されたユニットの絶縁チューブの外周を、絶縁材でさらに被覆することを特徴とする。
これにより、接続線が配線された絶縁チューブの外周部分を第２の絶縁チューブでさらに被覆するので、静電気にも強く、防塵性、防水性に優れた切断可能な照明装置とすることができる。外周部分を第２の絶縁チューブで覆われるので、接続線や、接続点部分が保護され、接触不良が起こりにくく、耐久性に優れた切断可能な照明装置とすることができる。
【００１６】
本発明の切断可能な照明装置は、
切断されたユニットと他のユニットとを接続するアダプタを有し、
前記アダプタは、前記切断されたユニットの二本の電源用電線と、前記他のユニットの二本の電源用電線とをそれぞれを接続させる二つの端子を備えていることを特徴とする。
このアダプタを介してユニットどうしを簡単に接続することができる。
【図面の簡単な説明】
【００１７】
【図１】実施例１における切断可能な照明装置１の外観図である。
【図２】実施例１におけるユニットの構成を示す説明図である
【図３】実施例１における製造工程（１）及び（２）を示す説明図である。
【図４】実施例１における製造工程（３）及び（４）を示す説明図である。
【図５】実施例１における製造工程（２）の変形例を示す説明図である。
【図６】実施例１における連結アダプタの外観図である。
【図７】従来の照明装置の回路図である。
【発明を実施するための形態】
【００１８】
本発明に係る切断可能な照明装置を実施するための形態を実施例に基づいて以下に説明する。
【実施例１】
【００１９】
実施例１に係る切断可能な照明装置につき、図１から図６を参照して説明する。
【００２０】
図１の符号１は、本発明が適用された切断可能な照明装置の外観図である。この切断可能な照明装置１は、複数の発光体１１を有する複数のユニット５０Ａ〜５０Ｆが備えられ、複数のユニット全体を折り曲げ可能な樹脂等で一体的に覆う表皮付の絶縁チューブ８０を備えている。ユニット５０Ａ〜５０Ｆのそれぞれは、複数の発光体１１を備えており、複数のユニットが連続して接続されている。ユニットの構成については後述する。ユニット５０と、隣接するユニット５０間が、切断可能線７６の部分で切断可能となっている。表皮付の絶縁チューブ８０の外周には、切断可能な部分が目視可能なように目印となる切断可能線７６が付されている。切断可能な照明装置１は、主に建築物や植物などの外面に這わせるように配置して、複数の発光体１１を点灯させて、発光体の発光により装飾を行うイルミネーション装置であり、表皮付の絶縁チューブ８０を自由に折り曲げて、自由な形状にして装飾させることができる。切断可能な照明装置１は、必要な長さ分のユニットを残し、不要なユニットを切断して利用することができ、また、複数の発光体が切れた場合には、その発光体があるユニットを切断して取り除くことができる。
【００２１】
図１に示すように、照明装置１は、その一方側の端部にコンセント等に差し込むための差込プラグ７３が設けられている。差込プラグ７３から延設される電力線７７には、整流器７２が設けられている。整流器７２は、交流電力を直流電力に変換（整流）する電力変換装置であり、コンセントを介して供給される交流電力を、発光体を駆動させるための直流電力に変換する。
【００２２】
この整流器７２から延設される直流電力線７８は、アダプタ７１を介して、表皮付の絶縁チューブ８０に接続される。直流電力線７８は、内部に電源用電線２０Ａと電源用電線２０Ｂの二本の電源用電線を備え、一方が正極線で他方がグランド線である。直流電力線７８は、ユニット５０の二本の電源用電線にそれぞれ接続され、各ユニット５０Ａ〜ユニット５０Ｆに電力が供給され、内部の複数の発光体１１が発光し、点灯する。必要に応じてマルチバイブレータ回路等を備えて発光体１１を点滅させることや、タイマー回路等を備えて点灯時間を制御することができる。
【００２３】
また、照明装置１の他方側の端部には、カバー７４が設けられている。このカバー７４は、切断されたユニット５０の端部を保護するものであり、樹脂などの弾性変形可能な絶縁体によりユニット５０の端部を覆うように、また、ユニット５０の表皮付の絶縁チューブ８０を挿入できるように構成されている。カバー７４には、表皮付の絶縁チューブ８０の外周にねじ溝又はねじ山を設ける場合には、それに係合するようなねじ山又はねじ溝をカバー７４の内部に備えてもよい。また、カバー７４の代わりに、後述するような連結アダプタ７５を装着することで、ユニット５０を、他のユニット５０や他の照明装置１に接続させるようにすることができる。アダプタ７１の構成も、直流電力線７８内の二本の電源用電線の接続端子をさらに備えるだけで、材質等はカバー７４と同じように構成できる。
【００２４】
次に、ユニット５０の構成を説明する。図２に、本発明における切断可能な照明装置のユニットの構成を示す説明図を示す。切断可能な照明装置１の複数のユニット５０Ａ〜５０Ｆの構成は、それぞれ同じである。ユニット５０は、二本の電源用電線２０Ａ・２０Ｂにそれぞれ接続され、ユニット５０と、隣接するユニット５０間が切断可能となっている。発光体１１としては、ＬＥＤや電球を用いることができ、一つのユニット５０には、少なくとも四つの発光体１１を備えていればよいが、必要に応じて発光体１１の数を増やしてもよい。
【００２５】
ユニット５０は、複数の発光体１１が並列に接続された複数の発光体群６０Ａ〜６０Ｈを備える。本実施例においては、二つの発光体１１を並列に接続させて発光体群を構成しているが、三つ以上の発光体１１を並列に接続させて発光体群６０を構成してもよい。二つ以上の発光体１１を並列に接続させておくことで、並列に接続されているいずれかの発光体が切れて発光しなくなっても、他の発光体１１は発光することができ、また、この他の発光体を介して隣接する発光体群に電流が流れ、他の発光体群の発光体を発光させることができる。
【００２６】
発光体群６０Ａは、発光体群６０Ｂに直列に接続され、同様に、発光体群６０どおしが直列に接続される。直列に接続された端に位置する発光体群６０Ａが二本の電源用電線の一方（図２においては電源用電線２０Ａ）に接続され、直列に接続された他端に位置する発光体群６０Ｈが二本の電源用電線の他方（図２においては電源用電線２０Ｂ）に接続される。また、各ユニットに流れる電流値を調整するために、抵抗３０をユニットの発光体群に直列に接続することができる。図２においては、抵抗３０Ａを、直列に接続された端に位置する発光体群６０Ａと電源用電線２０Ａとの間に接続している。抵抗３０Ａにより、電流量が制御され、直列に接続されている発光体群６０Ａ〜６０Ｈに調整された電流量の電流が供給される。
【００２７】
また、発光体群６０Ａの複数の発光体１１Ａ、発光体１１Ｂが並列に接続された接続点と、発光体群６０Ａと発光体群６０Ｂが直列に接続された接続点とを同じ接続点１２Ａとしている。発光体群６０Ｂも、複数の発光体１１Ｃ、発光体１１Ｄが並列に接続された接続点を有しており、この接続点を、発光体群６０Ａと発光体群６０Ｂが直列に接続された接続点と同じ接続点１２Ａとしている。すなわち、接続点１２Ａで、発光体１１Ａ、発光体１１Ｂ、発光体１１Ｃ、発光体１１Ｄの四つの発光体を、一箇所で接続することができるとともに、四つの発光体の端子又は接続線をはんだ付け等で接続することで、一度の作業で接続を行え、また、接続強度も増すことができる。これにより、発光体をそれぞれ接続する際に、発光体を並列に接続させた（並列接続作業を二度行った）後に直列に接続すると、接続作業が三度必要になるのを、一度に四つの発光体の端子を一箇所で接続するだけで、簡単に接続作業を行うことができる。さらに、接続点を減らすことができるので、接触不良が起こりやすい箇所を削減することができ、接触不良を起こしにくくすることができる。
【００２８】
また、三つ以上の発光体１１を並列に接続させておく場合には、隣接する二つの発光体群の発光体どおしをすべて一箇所の接続点で接続させれば、接続作業がより簡単で、接触不良が起こりやすい箇所を削減することができ、接触不良を起こしにくくすることができる。
【００２９】
他の接続点１２Ｂ〜１２Ｇについても同様に接続させて、図２に示す例では発光体群６０Ａ〜発光体群６０Ｈまでを一つのユニットとしている。ユニット内の発光体群６０の数は、二つ以上にすることができる。
切断可能な部分（切断可能線７６Ｂにより示す）は、隣接するユニット５０Ｃの直列に接続された端に位置する発光体群６０Ｊの二本の電源用電線の一方（図２においては電源用電線２０Ａ）の接続点６３Ａと、当該ユニット５０Ｃに隣接するユニット５０Ａの直列に接続された他端に位置する発光体群６０Ｈの二本の電源用電線の他方（図２においては電源用電線２０Ｂ）の接続点６２Ｂとの間となる。これにより、各ユニットは、二本の電源用電線にそれぞれ接続されるので、他のユニットが切断されても、他のユニットの影響を受けずに電力が供給され、発光体を発光させることができる。
【００３０】
次に、切断可能な照明装置１の製造方法を説明する。図３〜図５に、本発明における切断可能な照明装置の製造方法を示す説明図を示す。
【００３１】
製造工程は、（１）〜（４）までの工程があり、図３に、工程（１）における説明図（ａ）と、工程（２）における説明図（ｂ）を示し、図４に、工程（３）における説明図（ａ）と、工程（４）における説明図（ｂ）を示す。また、図５に、工程（２）における変形例を説明図（ａ）、（ｂ）として示す。図３〜図５では、図面左側に、各工程において製造する絶縁チューブ９０を長手方向側面から見た場合を模式的に示した側面図を示し、図面右側に、各工程において製造する絶縁チューブ９０の切断線Ａ−Ａ〜Ｆ−Ｆで切断した場合を模式的に示した円形断面図を示している。
【００３２】
（１）図３に、工程（１）における説明図（ａ）を示すように、まず、芯となる絶縁チューブ９０を製造する。絶縁チューブ９０は、折り曲げ可能な中実の管状のチューブであり、熱可塑性の樹脂であるパラフィンやポリ塩化ビニル（ＰＶＣ：polyvinyl chloride）等の材質で形成され、適切な溶融温度、例えば４５〜９０℃で溶融され、溶融温度以下で固化された状態で、折り曲げ可能となるよう軟性を有する材質となっている。絶縁チューブ９０を形成するための管状の型内に、等間隔に平行に、２本の電源用電線２０Ａ・２０Ｂを配置し、まわりにＰＶＣを適切な溶融温度で溶かして流しいれ、絶縁チューブ９０を作成する。なお、図３〜図５の側面図においては、模式的に、電源用電線２０Ａ・２０Ｂを上下に配置しているが、断面図に示すように、電源用電線２０Ａ・２０Ｂが並行に並ぶように、配置する。電源用電線２０Ａ・２０Ｂの配置位置は、後で、発光体の接続線と接続する場合に、部分的に絶縁チューブ９０の樹脂を剥いで電源用電線２０Ａ・２０Ｂをむき出しにして接続するため、むき出し作業が容易となるように、絶縁チューブ９０の外周縁に近い部分か、配線用溝に近い部分に配置することが望ましい。また、実際に、配置する場合には、電源用電線２０Ａ・２０Ｂのそれぞれが絶縁チューブで周囲を被覆されて絶縁されていれば、並行に並んでいなくともよい。これにより、電源用電線２０Ａ・２０Ｂのそれぞれを簡単に絶縁させることができる。
この工程により、電源用電線２０Ａ・２０Ｂが配置された絶縁チューブ９０が形成される。絶縁チューブ９０の長さは、所定のユニット数に応じて適宜設定することができる。例えば、１ユニットの長さを１メートルとした場合には、１００ユニットの切断可能な照明装置１を作成する場合には、１００メートルの長さで形成しておく。
【００３３】
（２）つぎに、工程（１）で製造した絶縁チューブ９０に、発光体１１を入れるための発光体用穴１０を所定の間隔で開ける。発光体用穴１０は、図３（ｂ）に示すように、絶縁チューブ９０の外周に貫通するような貫通孔でもよいし、貫通しないように底を有した穴でもよい。発光体用穴１０は、挿入する発光体１１のＬＥＤ等の形状に合わせ、円柱状や角柱状などの形状にしておく。発光体の寸法より少し小さめにした寸法の穴にしておくことで、内部の発光体用穴１０に発光体１１を装着したときに、絶縁チューブ９０の弾性により動かないように保持しておくことができる。
【００３４】
また、図３（ｂ）に示すように、絶縁チューブ９０の外周の長手方向に沿って、発光体１１を接続させるための配線用溝４０、４１を、絶縁チューブ９０の外周を彫ることで形成する。配線用溝は、絶縁チューブ９０の外周の異なる位置に二つ形成する。図３（ｂ）においては、絶縁チューブを側面から見ているので、配線用溝４０、４１は、重なった位置に図示されているが、断面図に示すように、絶縁チューブの図面上左右両側の位置にそれぞれ配置されている。配線用溝４０、４１は、後述するように、絶縁チューブ９０の長手方向に配置される発光体１１を一つおきに接続させた接続線の一部を、それぞれ装着するための二条の溝であり、絶縁チューブ９０の外周から、挿入する接続線の太さに合わせ、円柱状や角柱状などの形状にしておく。接続線の径寸法より少し小さめにした幅の溝にしておくことで、配線用溝４０、４１に接続線を装着したときに、絶縁チューブ９０の弾性により動かないように保持しておくことができる。また、配線用溝４０と配線用溝４１とを貫通するような貫通孔として、一つ設け、絶縁チューブの図面上左右両側から、それぞれ接続線を装着させるようにしてもよい。また、配線用溝４０と配線用溝４１とは、異なる位置に設ければよく、必ずしも左右対称な位置に設けなくてもよい。
【００３５】
また、発光体用穴と配線用溝の構成は、さまざまなバリエーションが考えられるが、発光体及び接続線を装着・保持し易いような配置位置と寸法にしておくことができる。
例えば、図５（ａ）及び（ｂ）に示すように、絶縁チューブ９０の外周の長手方向に沿って、発光体１１を接続させるための配線用溝４３を、絶縁チューブ９０を削って形成する。配線用溝４３は、絶縁チューブ９０外周部分の配線挿入口は、通常、絶縁チューブの外周が閉じるような狭い寸法にしておき、接続線を挿入する際に手で配線挿入口を広げながら接続線を挿入し、挿入後は、配線挿入口が閉じるようにしておくことができる。配線用溝４３は、絶縁チューブ９０の長手方向に沿って、管状に形成しておく。さらに、その配線用溝４３の一部に連通させて、発光体用穴１０Ｂを所定の間隔で形成しておく。発光体用穴１０Ｂは、横向きに発光体１１を配置することができるような形状としておく。配線用溝４３の配線挿入口から発光体１１を挿入することができる。
【００３６】
また、図５（ｂ）に示すように、絶縁チューブ９０の外周の長手方向に沿って、発光体１１を接続させるための配線用溝４４を、絶縁チューブ９０を管状に削って形成するようにしてもよい。配線用溝４４の配線挿入口は、図５（ａ）と同様にしておくことができる。さらに、その配線用溝４４の一部に連通させて、発光体用穴１０Ｃを所定の間隔で形成しておく。発光体用穴１０Ｃは、縦向きに発光体１１を配置することができるような形状としておく。発光体用穴１０Ｃは、貫通孔としてもよいし、図面上の絶縁チューブ上部の部分が閉じた穴として形成しておき、配線用溝４４の配線挿入口から発光体を挿入するようにしてもよい。
【００３７】
このようにして、絶縁チューブ９０に複数の発光体用穴１０と配線用溝とを形成する。配線用溝４０、４１、４３、４４を、絶縁チューブ９０に管状に、空間として形成しておくため、配線用溝に接続線を配線することで、配線用溝内では、接続線が、しなって絶縁チューブの長手方向と溝の幅方向および深さ方向とに動くことが可能な空間があるので、切断可能な照明装置を折り曲げたときに、接続線が折り曲げに応じてしなりやすく曲げやすくなるので、切断可能な照明装置の折り曲げが容易になる。配線用溝４０、配線用溝４１の場合には、接続線を二つに分けるので、配線用溝４３、４４より空間を狭くすることができ、溝内の空間で接続線が保持されやすく、接続線を空間内で偏りにくくすることができる。
【００３８】
（３）つぎに、工程（２）で製造した絶縁チューブ９０に、前述したユニット５０の構成に示したような、複数の発光体群６０Ａ〜６０Ｈを備えるユニット５０の複数の発光体１１とその接続線を、それぞれ装着する。ユニット５０の複数の発光体１１とそれらの接続は、前述したような構成で事前に配線しておく。発光体１１どうしを接続した接続線の長さは、あらかじめユニットの発光体穴１０の所定間隔にあわせて、所定の長さとしておく。また、配線用溝４０、４１に各発光体間を接続する接続線を配置するので、絶縁チューブの外周に引き回しが可能なように、その接続線の長さは、あらかじめ十分な長さを確保しておくようにしてもよい。
【００３９】
ユニット５０の複数の発光体群６０の複数の発光体１１のそれぞれを、複数の発光体用穴１０Ａに挿入し、配線用溝４０、４１に、発光体１１を接続した接続線の一部をそれぞれを配置する。
【００４０】
具体的には、発光体群６０の並列に接続された複数の発光体１１Ａ、発光体１１Ｂは、絶縁チューブの発光体用穴１０Ａに順番に一つずつ配置することで、一列に並べることができる。例えば、図４（ａ）に示すように、発光体１１の配置は、発光体１１Ａ、発光体１１Ｂ、発光体１１Ｃ、発光体１１Ｄ・・・のように、発光体群６０Ａの並列に接続された発光体１１Ａ、発光体１１Ｂを配置し、次に発光体群６０Ｂの発光体１１Ｃ、発光体１１Ｄを配置し、同様に、他の発光体群の発光体も配置する。その場合、絶縁チューブ９０の長手方向に配置される発光体を一つおきに接続させた接続線の一部を、二つの配線用溝４０、４１に、それぞれ装着する。図４（ａ）に示すように、発光体１１Ａの端子に接続される接続線１３Ｂ（端子が長い場合には、接続線を用いずに、端子どおしを直接接続させてもよい）は、一つおいた発光体１１Ｃの端子に接続される接続線１３Ｅと、接続点１２Ａで接続されており、さらに、発光体１１Ｃの他の端子に接続される接続線１３Ｆは、一つおいた発光体１１Ｅの端子に接続される接続線１３Ｉと、接続点１２Ｂで接続されており、さらに、発光体１１Ｅの他の端子に接続される接続線１３Ｊは、一つおいた発光体１１Ｇの端子に接続される接続線１３Ｍと、接続点１２Ｃで接続されている。これらの接続点は、前述したように、四つの接続線が一度の接続作業で接続されている。これらの接続線１３Ｂ、接続線１３Ｅ、接続線１３Ｆ、接続線１３Ｉ、接続線１３Ｊ、接続線１３Ｍ及び接続線Ｎの一部は、直列に接続された発光体の接続線として配線用溝４１に挿入されて、接続線が保持される。すなわち、これらの一つおきの発光体は、直列に接続されており、これらの直列に接続された接続線（図４（ａ）及び（ｂ）においては、実線で示す接続線）が、配線用溝４１に挿入されて、接続線が保持される。なお、図４（ａ）及び（ｂ）の側面図及び断面図においては、模式的に示しているので、並行する接続線を側面図上で上下に示し、側面図上の配線用溝４０、４１の幅も、断面図の幅より広げて、接続線が内部に配置されていることを明示している。
同様に、図４（ａ）に示すように、発光体１１Ｂの端子に接続される接続線１３Ｄは、一つおいた発光体１１Ｄの端子に接続される接続線１３Ｇと、接続点１２Ａで接続されており、さらに、発光体１１Ｄの他の端子に接続される接続線１３Ｈは、一つおいた発光体１１Ｆの端子に接続される接続線１３Ｋと、接続点１２Ｂで接続されており、さらに、発光体１１Ｆの他の端子に接続される接続線１３Ｌは、一つおいた発光体１１Ｈの端子に接続される接続線１３Ｏと、接続点１２Ｃで接続されている。これらの接続線１３Ｃ、接続線１３Ｄ、接続線１３Ｇ、接続線１３Ｈ、接続線１３Ｋ及び接続線１３Ｌの一部は、直列に接続された発光体の接続線として配線用溝４１に挿入されて、接続線が保持される。すなわち、これらの一つおきの発光体は、直列に接続されており、これらの直列に接続された接続線（図４（ａ）及び（ｂ）においては、破線で示す接続線）が、配線用溝４０に挿入されて、接続線が保持される。発光体群の並列に接続された複数の発光体を一つずつ一列に並べ、その一列の端に位置する発光体の隣には、隣接する発光体群の並列に接続された複数の発光体を一つずつ一列に並べていく場合ことで、発光体群を一つの纏まりとして一列に配線するため、発光体間を接続する接続線を、最短の長さで配線させることができる。また、発光体を一つおきに接続させた接続線は、直列に接続される配線となるので、発光体間を接続する接続線を、最短の長さで配線させることができる。
このように、ユニット内の直列に接続された発光体の接続線の一部は、配線用溝４１に挿入されて、接続線が保持される。また、その発光体のそれぞれに並列関係にある、直列に接続された発光体の接続線の一部は、配線用溝４０に挿入されて、接続線が保持される。この場合、図４（ａ）の断面図に示すように、発光体の接続線が、発光体用穴１０の絶縁チューブ９０の外周部分から、配線用溝までの間は、絶縁チューブ９０の外周に沿って接続線が引き回される。接続線の長さは、この引き回しを考慮して調整されている。また、直列に接続された発光体の各接続線（実線と破線）は、接続点においては、互いに接続されているので、各接続線の一部を配線用溝４１と配線用溝４０とに保持させるために、配線用溝４１から配線用溝４０まで、絶縁チューブ９０の外周に沿って引き回して配線を行う。その引き回しの長さ分を考慮して、接続線を長くしておく。接続点の部分は、いずれかの配線用溝内に配置されるようにしてもよいし、絶縁チューブ９０の外周部分に配置してもよい。さらに、後述するように、表皮付の絶縁チューブ８０で、絶縁チューブ９０及び接続線の外側を覆って保護する。絶縁チューブ９０の外周に沿って引き回しされた配線を表皮付の絶縁チューブ８０の樹脂で固めることで、配線が移動することなく、固定され、配線がずれることがないので、接触不良を起こしにくくすることができる。
【００４１】
このようにして、発光体が発光体用穴１０にそれぞれ挿入され、接続線の一部が配線用溝４０、４１にそれぞれ挿入される。この場合、ユニット内の直列に接続された発光体の接続線と、その発光体のそれぞれに並列関係にある、直列に接続された発光体の接続線とを、別々の配線用溝４０と配線用溝４１とに配置するので、接続線が適度に保持され、接続線どうしが絡みづらく、接続線の引き回し作業が簡単になるという効果がある。
【００４２】
また、図５（ａ）又は図５（ｂ）に示すように、配線用溝が一つの場合には、発光体１１をそれぞれ発光体穴１０に挿入し、接続線をまとめて配線用溝に収納すれば、配置作業が簡単になる。
【００４３】
その後、直列に接続された端に位置する発光体群６０Ａを、絶縁チューブ９０の一部を剥いで電源用電線２０Ａに接続し、直列に接続された他端に位置する発光体群６０Ｄを、絶縁チューブ９０の一部を剥いで電源用電線２０Ｂに接続して一つのユニットの配置が完了する。
【００４４】
なお、電源用電線２０への接続は、発光体及び接続線を発光体穴と配線用溝に配置する前でもよい。
【００４５】
他のユニットについても同様に発光体と接続線を配置して、電源用電線に接続させ、すべてのユニットを配置する。
【００４６】
この段階で、すべてのユニットが配置された絶縁チューブの電源用電線を、整流器７２を介して電源コンセントに接続して、発光体１１の点灯試験を行う。発光体が切れていれば、この段階で交換しておき、すべての発光体が点灯することを確認する試験を行う。
【００４７】
（４）その後、すべてのユニットが配置された絶縁チューブ９０の外周を、絶縁材でさらに被覆する。この工程では、絶縁チューブ９０のまわりにＰＶＣを適切な溶融温度で溶かして流しいれ、絶縁チューブ９０に表皮の絶縁材を被せ、表皮付の絶縁チューブ８０とする。その後、表皮付の絶縁チューブ８０は水で冷却される。クリア色の切断可能な照明装置（チューブライト）の場合には、透明なＰＶＣの表皮を被せる。また、ＰＶＣ自体を着色しておくこともできる。例えば、ＰＶＣ自体を赤で着色しておくことで、赤のチューブライトを製造することができる。
【００４８】
その後、目視でのチェックを経て、表皮付の絶縁チューブ８０の表面へ、カットマーク等の切断可能線７６の印字をする。
【００４９】
表皮付の絶縁チューブ８０は、例えば、１００メートル分の長さを１ロット（１ユニット１メートルとした場合、１００ユニットが１ロット）として製造しておくことで、ロープ状に巻いておき、販売時又は使用時に、必要な長さに切断し、前述したカバー７４と、アダプタ７１、整流器７２及び差込プラグ７３とを装着することで、使用することが可能である。
【００５０】
また、図６に示すような、連結アダプタ７５を用意しておくことで、切断したユニットと、ユニットとを接続することができる。
【００５１】
連結アダプタ７５は、切断されたユニット５０の端部を保護するとともに他のユニット５０に接続されるようになっており、樹脂などの弾性変形可能な絶縁体によりユニット５０の端部を覆うように装着できる装着部７５１Ａと７５１Ｂを両側に有し、装着部７５１Ａと７５１Ｂの間に、電源用電線２０Ａと電源用電線２０Ｂの二本の電源用電線にそれぞれ接続する二つの端子を備える接続部７５２を有する。装着部７５１Ａにユニット５０Ａの端部が差し込まれ、装着部７５１Ｂに他のユニット５０の端部が差し込まれ、接続部７５２の一つの端子により、ユニット５０の電源用電線２０Ａが、他のユニット５０の電源用電線２０Ａと接続され、接続部７５２の他の端子により、ユニット５０の電源用電線２０Ｂが、他のユニット５０の電源用電線２０Ｂと接続される。接続部７５２により、その両側の電源用電線がそれぞれ接続され、両側のユニットの電源が接続される。これにより、複数のユニット５０を連結アダプタ７５で連結して使用することができる。連結アダプタ７５の装着部７５１は、前述したカバー７４と同様な構成で、表皮付の絶縁チューブ８０の外周にねじ溝又はねじ山を設ける場合には、それに係合するようなねじ山又はねじ溝を装着部７５１の内部に備えてもよい。これによりねじ溝とねじ山が係合して、強固に接続することができる。また、装着部７５１Ａと７５１Ｂとを、接続部７５２から取り外せるような構成にしてもよい。この場合、ユニット５０Ａの端部が差し込まれた装着部７５１Ａを、接続部７５２に取り付け、他のユニット５０の端部が差し込まれた装着部７５１Ｂを、接続部７５２に取り付け、接続部７５２により、その両側の電源用電線がそれぞれ接続され、両側のユニットの電源が接続されるようにする。
【００５２】
この連結アダプタ７５により、ユニットどうしの接続が可能となり、切断したユニットを接続することで、必要な長さに相当する複数のユニットを接続して使用することができる。
【００５３】
本実施例によれば、ユニットは、複数の発光体が並列に接続された発光体群を複数備えているので、発光体群の発光体の一つが切れて発光しなくなっても、発光体群の他の並列に接続された発光体は発光することができる。また、ユニットは、複数の発光体群が直列に接続され、直列に接続された端に位置する発光体群が前記二本の電源用電線の一方に接続され、直列に接続された他端に位置する発光体群が前記二本の電源用電線の他方に接続されている直列に接続されるので、発光体群の発光体の一つが切れて発光しなくなっても、他の並列に接続された発光体を介して電流が流れるので、隣接する発光体群や、他の発光体群には影響を与えることなく、他の発光体群のすべての発光体を発光させ続けることができる。さらに、他のユニットについても、それぞれ、同様の構成になっているので、切れた発光体を有するユニット以外の、他のユニットについても影響を与えることなく、すべての発光体を発光させ続けることができる。
従って、ユニット中の発光体の一つが切れても、ユニット内の切れた発光体以外の発光体は、引き続き発光させ続けることができ、さらに、他のユニットのすべての発光体を発光させ続けることができる。また、ユニット間で切断が可能であるので、ユニット中の発光体が複数切れた場合や、長さ調節を行いたい場合には、不要となったユニットを切断することができる。また、連結アダプタ７５を介して、複数のユニットを接続することで、長さ調節を行うことができる。
【００５４】
以上、本発明の実施例を図面により説明してきたが、具体的な構成はこれら実施例に限られるものではなく、本発明の要旨を逸脱しない範囲における変更や追加があっても本発明に含まれる。
【００５５】
例えば、前記実施例では、樹脂材に熱可塑性の樹脂であるＰＶＣ等の材質が用いられているが、シリコン等を用いて、単に発光体及び接続線を被覆するようにしてもよい。また、被覆する材質は、絶縁材であれば、熱可塑性の樹脂でなくてもよい。さらに、あらかじめ長手方向に２分割した形状の絶縁材を作成後、絶縁材の２分割した一方側に発光体及び接続線を配置し、絶縁材の他側から包み込むようにして構成してもよい。
【００５６】
また、絶縁材による被覆した場合の形状も、円管状のチューブに限らず、角型や発光体の形状に合わせた形にできる。さらに、発光体と接続線とを別々に絶縁材で被覆するようにしてもよい。例えば、発光体の部分は、発光体一つ一つを球状、角型または円筒状等にして絶縁材で被覆しおき、接続線の部分は、接続線に沿った形で被覆するようにしてもよい。また、接続線の一本一本が絶縁被覆されている場合には、接続線の部分は、絶縁材で被覆しないようにしてもよい。
【００５７】
前記実施例では、絶縁材で被覆する場合を示しているが、絶縁材で被覆せず、前述した、図２に示すような発光体どおしの配線だけのユニットとしてもよい。この場合は、絶縁材で被覆していないので、発光体の光が、絶縁材を介さずにそのまま放射されるので、より明るいイルミネーションを構成できる。この場合も、接続線の一本一本は、絶縁被覆しておいてもよい。
【００５８】
また、前記実施例では、二つの発光体１１を並列に接続させて発光体群を構成しているが、三つ以上の発光体１１を並列に接続させて発光体群６０を構成する場合には、配線用溝４０、４１は、並列接続する数に応じて、３条以上の溝を形成するようにしてもよい。
【符号の説明】
【００５９】
１                切断可能な照明装置
１１              発光体
１２              接続点
１３              接続線
２０              電源用電線
３０              抵抗
５０              ユニット
７１              アダプタ
７２              整流器
７３              差込プラグ
７４              カバー
７５              連結アダプタ
７６              切断可能線
７７              電力線
７８              直流電力線
８０              表皮付の絶縁チューブ
【図１】
0005610851.tif 000002
【図２】
0005610851.tif 000003
【図３】
0005610851.tif 000004
【図４】
0005610851.tif 000005
【図５】
0005610851.tif 000006
【図６】
0005610851.tif 000007
【図７】
0005610851.tif 000008